(57)【要約】【課題】タイヤの撮影作業を効率良く行うことのできるタイヤ撮影用補助装置を提供する。【解決手段】タイヤ１をタイヤ軸が水平方向に向くように保持するタイヤ支持部１０を備え、タイヤ支持部１０の各支持ローラ１２によってタイヤ１を周方向に回動自在に支持するとともに、タイヤ支持部１０の回転台１１によってタイヤ１を鉛直軸を中心に回動自在に支持するようにしたので、タイヤ１を撮影する際、タイヤ１をタイヤ支持部１０によって支持したままタイヤ１の向きや周方向の位置を変えることができ、タイヤ１の撮影作業を極めて効率良く行うことができる。【選択図】図１２
2010210325.tif 000002
【特許請求の範囲】
【請求項１】
任意のタイヤをタイヤ軸が水平方向に向くように保持するタイヤ撮影用補助装置であって、
タイヤを周方向に回動自在に支持するとともに、鉛直軸を中心に回動自在に支持するタイヤ支持部を備えた
ことを特徴とするタイヤ撮影用補助装置。
【請求項２】
前記タイヤ支持部を、鉛直軸を中心に回動する回転台にタイヤを載置するように構成し、回転台にはタイヤを周方向に回動自在に支持する回動部材を設けた
ことを特徴とする請求項１記載のタイヤ撮影用補助装置。
【請求項３】
前記回転台に載置されるタイヤの幅方向両側に配置され、タイヤの幅方向への移動を規制するガイド部材を備えた
ことを特徴とする請求項２記載のタイヤ撮影用補助装置。
【請求項４】
前記ガイド部材をタイヤ幅方向に移動自在に設けた
ことを特徴とする請求項３記載のタイヤ撮影用補助装置。
【請求項５】
前記回転台にタイヤを転動させながら乗り降りさせるスロープを備えた
ことを特徴とする請求項２、３または４記載のタイヤ撮影用補助装置。
【請求項６】
前記タイヤ支持部を、上下方向に延びる縦部材から水平方向に延びる複数の横部材にタイヤを吊り下げるように構成し、各横部材にはタイヤを周方向に回動自在に支持する回動部材を設けた
ことを特徴とする請求項１記載のタイヤ撮影用補助装置。
【請求項７】
前記縦部材を上下方向に移動自在に設けた
ことを特徴とする請求項６記載のタイヤ撮影用補助装置。
【請求項８】
前記横部材を長手方向に伸縮可能に形成した
ことを特徴とする請求項６または７記載のタイヤ撮影用補助装置。
【請求項９】
前記タイヤ支持部を鉛直軸を中心とする所定の回動位置に位置決めする位置決め手段を備えた
ことを特徴とする請求項１乃至８の何れか１項に記載のタイヤ撮影用補助装置。
【請求項１０】
移動用の車輪を備えた
ことを特徴とする請求項１乃至９の何れか１項に記載のタイヤ撮影用補助装置。
【請求項１１】
前記タイヤ支持部の少なくとも背面側に配置される壁面部を備えた
ことを特徴とする請求項１乃至１０の何れか１項に記載のタイヤ撮影用補助装置。
【請求項１２】
前記壁面部を左右方向及び上下方向の少なくとも一方に拡縮可能に形成した
ことを特徴とする請求項１１記載のタイヤ撮影用補助装置。
【請求項１３】
任意の撮影用機材を取付可能な機材取付部を備えた
ことを特徴とする請求項１乃至１２の何れか１項に記載のタイヤ撮影用補助装置。
【請求項１４】
任意の物品を収納可能な物品収納部を備えた
ことを特徴とする請求項１乃至１３の何れか１項に記載のタイヤ撮影用補助装置。
【請求項１５】
折り畳み椅子を収納可能な椅子収納部を備えた
ことを特徴とする請求項１乃至１４の何れか１項に記載のタイヤ撮影用補助装置。
【発明の詳細な説明】
【技術分野】
【０００１】
本発明は、例えば乗用車、トラック、バス等に用いられる空気入りタイヤを写真撮影するために用いられるタイヤ撮影用補助装置に関するものである。
【背景技術】
【０００２】
一般に、乗用車等に用いられる空気入りタイヤにおいては、その性能や耐久性等を評価するために、実車に装着して走行試験を行う場合があるが（例えば、特許文献１参照。）、試験中または試験後に試験タイヤの外観を写真撮影し、摩耗状態等の試験結果を写真に記録する必要がある。
【先行技術文献】
【特許文献】
【０００３】
【特許文献１】特開２００８−１４３２０７号公報
【発明の概要】
【発明が解決しようとする課題】
【０００４】
しかしながら、従来では、試験タイヤを撮影する際、車両から取外したタイヤを背景用の壁面を有する所定の撮影場所に置き、タイヤ軸が水平方向に向くように配置して輪止めにより固定しているが、タイヤの向きや周方向の位置を変えて撮影する場合は、その度にタイヤの輪止めを外し、タイヤを人手によって動かした後、輪止めを戻すといった煩雑な作業を要するため、撮影作業を効率良く行うことができないという問題点があった。
【０００５】
本発明は前記問題点に鑑みてなされたものであり、その目的とするところは、タイヤの撮影作業を効率良く行うことのできるタイヤ撮影用補助装置を提供することにある。
【課題を解決するための手段】
【０００６】
本発明は前記目的を達成するために、任意のタイヤをタイヤ軸が水平方向に向くように保持するタイヤ撮影用補助装置に、タイヤを周方向に回動自在に支持するとともに、鉛直軸を中心に回動自在に支持するタイヤ支持部を設けている。
【０００７】
これにより、タイヤ支持部によってタイヤが周方向に回動自在に支持されるとともに、鉛直軸を中心に回動自在に支持されることから、タイヤを撮影する際、タイヤをタイヤ支持部によって支持したままタイヤの向きや周方向の位置を変えることができる。
【発明の効果】
【０００８】
本発明によれば、タイヤを撮影する際、タイヤをタイヤ支持部によって支持したままタイヤの向きや周方向の位置を変えることができるので、タイヤの撮影作業を極めて効率良く行うことができ、例えばタイヤを実車に装着して行う走行試験において、試験タイヤの外観を写真撮影する場合に極めて有利である。
【図面の簡単な説明】
【０００９】
【図１】本発明の第１の実施形態を示すタイヤ撮影用補助装置の正面側斜視図
【図２】回転台の平面図
【図３】回転台の側面図
【図４】車輪を示す要部矢視図
【図５】車輪を示す要部側面図
【図６】スロープを示す要部側面図
【図７】ガイドローラを示す要部側面断面図
【図８】物品収納箱の取付部材を示す一部断面側面図
【図９】タイヤ撮影用補助装置の要部背面側斜視図
【図１０】折り畳み椅子を取外した状態を示すタイヤ撮影用補助装置の要部背面側斜視図
【図１１】使用状態を示すタイヤ撮影用補助装置の正面側斜視図
【図１２】他の使用状態を示すタイヤ撮影用補助装置の正面側斜視図
【図１３】撮影用機材を取付けた使用状態を示すタイヤ撮影用補助装置の正面側斜視図
【図１４】本発明の第２の実施形態を示すタイヤ撮影用補助装置の正面側斜視図
【図１５】タイヤ支持部の側面図
【図１６】縦部材の要部側面断面図
【図１７】タイヤ撮影用補助装置の要部背面側斜視図
【図１８】使用状態を示すタイヤ撮影用補助装置の要部背面側斜視図
【図１９】使用状態を示すタイヤ撮影用補助装置の正面側斜視図
【図２０】他の使用状態を示すタイヤ撮影用補助装置の正面側斜視図
【図２１】撮影用機材を取付けた使用状態を示すタイヤ撮影用補助装置の正面側斜視図
【図２２】横部材の変形例を示す要部正面図
【図２３】ストッパを示す要部側面断面図
【発明を実施するための形態】
【００１０】
図１乃至図１３は本発明の第１の実施形態を示すものである。同図に示すタイヤ撮影用補助装置は、タイヤ１をタイヤ軸が水平方向に向くように支持するタイヤ支持部１０と、タイヤ支持部１０が回動自在に設けられた底面部２０と、タイヤ支持部１０の背面側に配置される壁面部３０と、タイヤ支持部１０にタイヤ１を転動させながら乗り降りさせるスロープ４０と、任意の物品を収納可能な物品収納部５０と、折り畳み椅子を収納可能な椅子収納部６０とを備えている。
【００１１】
タイヤ支持部１０は、鉛直軸を中心に回動する回転台１１にタイヤ１を載置するように構成され、回転台１１にはタイヤを周方向に回動自在に支持する回動部材としての一対の支持ローラ１２が設けられている。回転台１１は円板状に形成され、底面部２０に支軸１１ａを介して回動自在に取付けられている。各支持ローラ１２は回転台１１の上面に互いに回転軸が平行になるように間隔をおいて横向きに配置され、その回転軸の両端は回転台１１に固定された軸受け１２ａに支持されている。
【００１２】
タイヤ支持部１０には、タイヤ１の幅方向両側への移動を規制する一対のガイドローラ１３が設けられている。各ガイドローラ１３は回転台１１の上面に互いに回転軸が平行になるように間隔をおいて縦向きに配置され、その回転軸の下端側は回転台１１に設けられた長孔１１ｂに移動自在に挿入されている。ガイドローラ１３の回転軸の下端は回転台１１の下面側に配置された可動部材１３ａに支持され、可動部材１３ａと共に長孔１１ｂに沿って移動可能になっている。この場合、各長孔１１ｂは支持ローラ１２の長手方向に延びるように各支持ローラ１２の間に設けられ、各ガイドローラ１３が長孔１１ｂの長手方向（タイヤ１の幅方向）に移動するようになっている。また、可動部材１３ａには長孔１１ｂを挿通する固定ネジ１３ｂが螺合しており、固定ネジ１３ｂを回動して可動部材１３ａと回転台１１とを締め付けることにより、ガイドローラ１３が回転台１１に固定されるようになっている。
【００１３】
また、タイヤ支持部１０には、回転台１１を所定の回動位置に位置決めする位置決め機構１４が設けられている。位置決め機構１４は回転台１１と底面部２０との間に配置された球状の係合部材１４ａを有し、回転台１１の下面に周方向に等間隔（例えば４５゜間隔）で設けられた凹部１１ｃに係合部材１４ａを係合させることにより、回転台１１の周方向への移動を規制するようになっている。係合部材１４ａは底面部２０に固定されたホルダ１４ｂに上下方向に移動自在に支持されるとともに、図示しないスプリングによって上方に付勢されている。これにより、回転台１１に所定の大きさ以上の回転力を加えると、図３(a) に示すように係合部材１４ａがスプリングに抗して下方に移動して凹部１１ｃとの係合を解除され、他の凹部１１ｃが係合部材１４ａの位置に達すると、図３(b) に示すように係合部材１４ａがスプリングによって上方に移動して凹部１１ｃに係合するようになっている。
【００１４】
底面部２０は下面の角部にそれぞれ車輪２１を有し、車輪２１によって走行可能になっている。底面部２０には車輪２１の上部を収容する車輪収容部２２が設けられ、車輪収容部２２は底面部２０の位置が低くなるように底面部２０の上面よりも上方に突出している。車輪２１は車輪支持部材２１ａに回動自在に支持され、車輪支持部材２１ａは車輪収容部２２内の上面に鉛直軸を中心に回動自在に取付けられている。また、車輪２１はロックレバー２１ｂによってロック可能になっており、図４(a) に示すようにロックレバー２１ｂを下降させると車輪２１がロックされ、図４(b) に示すようにロックレバー２１ｂを上昇させると車輪２１のロックが解除されるようになっている。底面部２０の後部には幅方向に延びる把持部２３が設けられ、把持部２３の両端は底面部２０の幅方向両側から上方に延びる一対の支柱２３ａの上端に固定されている。この場合、支柱２３ａの上端側は後方に向かって斜め上方に延びるように形成されている。また、底面部２０の前端には撮影機材取付用の第１の機材取付部２４が設けられ、第１の機材取付部２４は機材の端部を挿入可能な筒状部材によって形成されている。
【００１５】
壁面部３０は、底面部２０と同等の幅を有する平面状の背面板３１と、背面板３１の両側に幅方向に移動自在に設けられた一対の可動板３２とからなり、背面板３１及び各可動板３２はタイヤの背景に適した所定の色（例えば水色）に着色されている。各可動板３２は背面板３１の上端側及び下端側を折り返してなる係合部３１ａに幅方向に摺動自在に係合しており、各可動板３２の幅方向一端には把持部３２ａが設けられている。また、背面板３１の上端には撮影機材取付用の第２の機材取付部３３が設けられ、第２の機材取付部３３は第１の機材取付部２４と同様、機材の端部を挿入可能な筒状部材によって形成されている。
【００１６】
スロープ４０は、回転台１１に設けられた第１のスロープ部４１と、底面部２０に設けられた第２及び第３のスロープ部４２，４３とからなり、各スロープ部４１，４２，４３によって地面から回転台１１の一方の支持ローラ１２まで連続した坂道を形成するようになっている。第１のスロープ部４１は一端が一方の支持ローラ１２に近接するように形成され、その他端は回転台１１の周縁に沿って円弧状に形成されている。第２のスロープ部４２は一端が第１のスロープ部４１の他端に沿って円弧状に形成され、その他端は底面部２０の幅方向一端からやや外側に突出している。第３のスロープ部４３は底面部２０の下面に設けられた支持部材４３ａに底面部２０の幅方向に移動自在に支持され、第２のスロープ部４２の他端側から外側に向かって出し入れ可能になっている。
【００１７】
物品収納部５０は棚や引出しを有する箱状に形成され、例えば撮影に必要な小物類等を収納するようになっている。物品収納部５０は、上下方向に延びる取付部材５１を介して底面部２０の前端側の側部に取付けられている。取付部材５１は物品収納部５０の側面に固定された筒状部材からなり、その下端側には底面部２０に固定された支柱５２が挿入されている。取付部材５１の側面には内面まで貫通するネジ孔に螺合する固定ネジ５３が螺合しており、固定ネジ５３を緩めると取付部材５１が支柱５２に対して回動可能となり、固定ネジ５３を締め付けると取付部材５１が支柱５２に固定されるようになっている。
【００１８】
椅子収納部６０は、背面板３１の背面に取付けられた上下方向に延びる幅方向一対の幅方向支持部材６１と、各幅方向支持部材６１の上下方向所定位置に設けられた下方支持部材６２と、把持部２３の各支柱２３ａに亘って幅方向に延びる後方支持部材６３とからなり、周知の折り畳み椅子２を背面部３０の背面上方から各幅方向支持部材６１間に挿入することにより、折り畳み椅子２の幅方向両端、下端及び後端がそれぞれ各幅方向支持部材６１、下方支持部材６２及び後方支持部材６３によって支持され、折り畳み椅子２が壁面部３０の背面側に収納されるようになっている。
【００１９】
以上のように構成されたタイヤ撮影用補助装置を用いてタイヤ１の写真撮影を行う場合は、物品収納部５０を底面部２０の上方から外側に回動し、スロープ４０の第３のスロープ部４３を底面部２０の外側に引き出す。また、壁面部３０の各可動板３２を把持部３２ａを持って引き出し、壁面部３０を幅方向に拡大させる。次に、撮影しようとするタイヤ１を転動させながらスロープ４０を介して回転台１１上に載置する。その際、タイヤ１のトレッド部が各支持ローラ１２によってタイヤ転動方向の前後から支持される。また、タイヤ１の幅寸法に合わせて各ガイドローラ１３の幅方向の位置を調整する。
【００２０】
これにより、タイヤ１がタイヤ支持部１０によってタイヤ軸が水平方向に向くように保持され、タイヤ支持部１０の回転台１１を回動することにより、鉛直軸を中心とする向きを変えてタイヤ１を撮影することができる。例えば、サイドウォール部を正面に向けて撮影する場合は、図１１に示すように回転台１１をタイヤ軸が前後方向に向く位置にして正面から撮影し、トレッド部を正面に向けて撮影する場合は、図１２に示すように回転台１１をタイヤ軸が左右方向に向く位置にして正面から撮影する。その際、位置決め機構１４により、タイヤ１の前面、背面、左側面及び右側面が正面を向く位置でそれぞれ回転台１１が位置決めされる。更に、タイヤ１を周方向に回動すると、これに追従して各支持ローラ１２が回動することから、タイヤ１を周方向の向きを変えて撮影することができる。また、折り畳み椅子２を椅子収納部６０から取出して使用すれば、折り畳み椅子２に腰掛けて撮影することができる。
【００２１】
更に、図１３に示すように一端にカメラ３を取付けた周知のアームスタンド４の他端を第１の機材取付部２４に挿入することにより、アームスタンド４によってカメラ３を底面部２０に固定することができる。また、一端に照明灯５を取付けたアームスタンド６の他端を第２の機材取付部３３に挿入することにより、アームスタンド６によって照明灯５を背面部３０に固定することも可能である。
【００２２】
このように、本実施形態のタイヤ撮影用補助装置によれば、タイヤ１をタイヤ軸が水平方向に向くように保持するタイヤ支持部１０を備え、タイヤ支持部１０によってタイヤ１を周方向に回動自在に支持するとともに、鉛直軸を中心に回動自在に支持するようにしたので、タイヤ１を撮影する際、タイヤ１をタイヤ支持部１０によって支持したままタイヤ１の向きや周方向の位置を変えることができ、タイヤ１の撮影作業を極めて効率良く行うことができる。
【００２３】
この場合、タイヤ支持部１０を、回転台１１の上面にタイヤ１を載置して鉛直軸を中心に回動させるように構成したので、タイヤ１をホイール１ａが付いたままタイヤ支持部１０に支持することができ、例えば撮影時にタイヤ１を車両に着脱する場合など、タイヤ１からホイール１ａを取外す必要がないという利点がある。また、タイヤ支持部１０を、回動自在な一対の支持ローラ１２によってタイヤ転動方向の前後からタイヤ１のトレッド部を支持するようにしたので、タイヤ１の転動方向への移動を各支持ローラ１２によって規制することができ、タイヤ１を回転台１１上に位置させたまま周方向に容易に回動させることができる。
【００２４】
更に、タイヤ１の幅方向両側に位置する回動自在な一対のガイドローラ１３によってタイヤ１の幅方向への移動を規制するようにしたので、タイヤ１の幅方向への転倒を防止することができ、タイヤ１を回転台１１上に安定して保持することができる。この場合、タイヤ１を回転台１１上に乗り降りさせる際にタイヤ１がガイドローラ１３に接触しても、ガイドローラ１３が回動して接触抵抗を低減させることができるので、タイヤ１を円滑に乗り降りさせることができる。この場合、各ガイドローラ１３をタイヤ幅方向に移動自在に設けたので、各ガイドローラ１３の間隔をタイヤ１の幅寸法に応じて調整することができ、幅寸法の異なる多種類のタイヤに的確に対応することができる。
【００２５】
また、タイヤ支持部１０を鉛直軸を中心とする所定の回動位置に位置決めする位置決め機構１４を備えているので、タイヤ１の向きを変える際、タイヤ支持部１０を所定の回動位置に容易に位置決めすることができ、タイヤ１の向きを正確に設定することができる。
【００２６】
更に、回転台１１にタイヤ１を転動させながら乗り降りさせるスロープ４０を備えているので、タイヤ１を持ち上げることなく回転台１１に載置することができ、作業時の労力を軽減することができる。この場合、スロープ４０の第３のスロープ部４３を第２のスロープ部４２から底面部２０の外側に向かって出し入れ可能に設けたので、未使用時に第３のスロープ部４３を底面部２０の内側に格納しておけば、装置全体を大型化させることがないという利点がある。
【００２７】
また、移動用の車輪２１を備えているので、例えば車両からタイヤ１を取外して撮影する際、装置本体を車両まで移動すればタイヤ１を人手によって運ぶ必要がなく、作業時の労力を軽減することができる。
【００２８】
更に、タイヤ支持部１０の背面側に配置される壁面部３０を備えているので、壁面部３０を背景にしてタイヤ１を撮影することができ、例えば背景となる建物の壁面等を探したり、或いは背景用のパネルやシートを別途用意するなど、背景の準備に手間を要することがなく、撮影作業を迅速に行うことができる。この場合、壁面部３０を背面板３１に摺動自在に設けた一対の可動板３２によって左右方向に拡縮自在に形成したので、撮影時以外に壁面部３０を縮小しておけば、装置全体を大型化させることがないという利点がある。
【００２９】
また、任意の撮影用機材を取付可能な第１及び第２の機材取付部２４，３３を備えているので、例えばカメラ３用のアームスタンド４や照明灯５用のアームスタンド６のような撮影用機材を取付けることができ、本格的な写真撮影を行う場合に極めて有利である。
【００３０】
更に、任意の物品を収納可能な物品収納部５０を備えているので、例えば撮影に必要な小物類を物品収納部５０に収納しておくことにより、これら小物類を持ち運ぶ必要がないという利点がある。この場合、撮影時以外には取付部材５１によって物品収納部５０を底面部２０の上方に移動しておけば、装置全体を大型化させることがないという利点がある。更に、撮影時には物品収納部５０を底面部２０の外側に移動させることにより、タイヤ支持部１０の回動の妨げになることがなく、物品収納部５０の写り込みを防止することもできる。
【００３１】
また、折り畳み椅子２を収納可能な椅子収納部６０を備えているので、必要に応じて折り畳み椅子２を椅子収納部６０から取出して使用することができ、例えば折り畳み椅子２に腰掛けて撮影することにより、撮影作業の労力を軽減することができるとともに、カメラの手振れ防止にも効果的である。
【００３２】
尚、前記実施形態では、壁面部３０を平面状に形成したものを示したが、凹面状に湾曲させるようにしたり、タイヤ支持部１０の背面側のみならず、側方まで位置するように形成してもよい。また、壁面部３０を左右方向に拡縮自在に形成しているが、上下方向に拡縮するようにしてもよい。
【００３３】
更に、前記実施形態では、位置決め機構１４の係合部材１４ａを回転台１１の凹部１１ｃに係合させることにより回転台１１を位置決めするようにしたが、例えば回転台１１の周方向所定位置と底面部２０側にそれぞれ目印を設け、目印を合わせることにより位置決めするようにしてもよい。
【００３４】
図１４乃至図２２は本発明の第２の実施形態を示すものであり、前記実施形態と同等の構成部分には同一の符号を付して示す。
【００３５】
本実施形態のタイヤ撮影用補助装置は、タイヤ１をタイヤ軸が水平方向に向くように支持するタイヤ支持部７０を備え、他の構成は前記実施形態と同様である。
【００３６】
タイヤ支持部７０は、上下方向に延びる縦部材７１から水平方向に延びる左右一対の横部材７２にホイールなしのタイヤ１を吊り下げるように構成され、縦部材７１は底面部２０に固定された支柱７３によって上下方向に移動自在に支持されている。縦部材７１は円筒状の部材からなり、その下端側には支柱７３が挿入されている。縦部材７１の側面の上下方向複数箇所には位置決め用の孔７１ａが周方向二箇所ずつ設けられ、縦部材７１の任意の高さ位置の孔７１ａに縦部材７１を貫通するように固定ピン７３ａを差し込むことにより、図１６(a) に示すように支柱７３の上端が固定ピン７３ａに当接し、縦部材７１が支柱７３によって任意の高さ位置に回動自在に支持されるようになっている。また、図１６(b) に示すように固定ピン７３ａを孔７１ａから引き抜けば、縦部材７１を上下方向の他の位置に移動することができる。各横部材７２は縦部材７１の上端から互いに反対方向に延びる円筒状の部材からなり、各横部材７２にはタイヤ１を周方向に回動自在に支持する回動部材としての支持ローラ７４がそれぞれ設けられている。支持ローラ７４は一端にフランジ７４ａを有する円筒状の部材からなり、その他端側には横部材７２が挿入され、横部材７２に対して回動自在に設けられている。
【００３７】
また、本実施形態では、物品収納部５０が第１の取付部材５４及び第２の取付部材５５を介して底面部２０の後端側の側部に取付けられている。第１の取付部材５４は物品収納部５０の側面に固定された円筒状の部材からなり、その下端側には第２の取付部材５５の上端に固定されたＬ字状の第１の支柱５６の上端側が挿入されている。第２の取付部材５５は上下方向に延びる円筒状の部材からなり、その下端側には底面部２０に固定された第２の支柱５７の上端側が挿入されている。第１の取付部材５４の側面には、第１の実施形態と同様の第１の固定ネジ５８が取付けられており、第１の固定ネジ５８を緩めると第１の取付部材５４が第１の支柱５６に対して回動し、第１の固定ネジ５８を締め付けると第１の取付部材５４が第１の支柱５６に固定されるようになっている。また、第２の取付部材５５の側面にも同様の第２の固定ネジ５９が取付けられており、第２の固定ネジ５９を緩めると第２の取付部材５５が第２の支柱５７に対して回動し、第２の固定ネジ５９を締め付けると第２の取付部材５５が第２の支柱５７に固定されるようになっている。
【００３８】
以上のように構成されたタイヤ撮影用補助装置を用いてタイヤ１の写真撮影を行う場合は、図１８に示すように物品収納部５０を底面部２０の上方から外側に回動し、ホイールなしのタイヤ１の内側にタイヤ支持部７０の横部材７２を挿通し、横部材７２にタイヤ１を吊り下げる。その際、例えば二つのタイヤ１を各横部材７２にそれぞれ一つずつ吊り下げる。これにより、各タイヤ１がタイヤ支持部７０によってタイヤ軸が水平方向に向くように保持され、タイヤ支持部７０を回動することにより、鉛直軸を中心とする向きを変えて各タイヤ１を撮影することができる。例えば、サイドウォール部を正面に向けて撮影する場合は、図１９に示すように回転台１１をタイヤ軸が前後方向に向く位置にして正面から撮影し、トレッド部を正面に向けて撮影する場合は、図２０に示すように回転台１１をタイヤ軸が左右方向に向く位置にして正面から撮影する。また、タイヤ１を周方向に回動すると、これに追従して支持ローラ７４が回動することから、タイヤ１を周方向の向きを変えて撮影することができる。更に、第１の実施形態と同様、図２１に示すように一端にカメラ３を取付けた周知のアームスタンド４の他端を第１の機材取付部２４に挿入することにより、アームスタンド４によってカメラ３を底面部２０に固定することができる。また、一端に照明灯５を取付けたアームスタンド６の他端を第２の機材取付部３３に挿入することにより、アームスタンド６によって照明灯５を背面部３０に固定することも可能である。
【００３９】
このように、本実施形態のタイヤ撮影用補助装置によれば、タイヤ１をタイヤ軸が水平方向に向くように保持するタイヤ支持部７０を備え、タイヤ支持部７０によってタイヤ１を周方向に回動自在に支持するとともに、鉛直軸を中心に回動自在に支持するようにしたので、タイヤ１を撮影する際、タイヤ１をタイヤ支持部７０によって支持したままタイヤ１の向きや周方向の位置を変えることができ、タイヤ１の撮影作業を極めて効率良く行うことができる。
【００４０】
この場合、上下方向に延びる縦部材７１から水平方向に延びる左右一対の横部材７２にタイヤ１を吊り下げるように構成したので、例えば二つのタイヤ１を各横部材７２にそれぞれ一つずつ吊り下げることにより、複数のタイヤ１を同時に保持することができ、複数のタイヤ１を撮影する場合の作業性の向上を図ることができる。この場合、各横部材７２に回動自在に設けた支持ローラ７４にタイヤ１を吊り下げるようにしたので、タイヤ１を吊り下げたまま容易に周方向に回動させることができるとともに、支持ローラ７４の一端に設けたフランジ７４ａによってタイヤ１の脱落を防止することができる。
【００４１】
また、縦部材７１を上下方向に移動自在に設けたので、タイヤ１の径方向のサイズに応じて縦部材７１の高さ位置を調整することにより、撮影位置を適正な高さ位置にすることができる。
【００４２】
更に、図２２の変形例に示すように、横部材７２を長手方向に伸縮自在に形成するようにしてもよい。即ち、横部材７２は、縦部材７１に固定された内側部材７２ａと、支持ローラ７４を支持する円筒状の外側部材７２ｂとからなり、外側部材７２ｂは内側部材７２ａに軸方向に摺動自在に係合している。これにより、横部材７２に吊り下げるタイヤ１の幅寸法や本数に応じて横部材７２の長さを調整することが可能となる。
【００４３】
尚、前記第２の実施形態では、タイヤ支持部７０の鉛直軸を中心とする回動位置の位置決め手段を設けていないが、例えば縦部材７１の支柱７３と底面部２０に第１の実施形態と同様の位置決め機構または目印を設けることにより、タイヤ支持部７０の回動位置を位置決めするようにしてもよい。
【００４４】
また、前記第１の実施形態では、車輪２１をロックレバー２１ｂによってロックするようにしたものを示したが、図２３に示すように底面部２０を地面に固定するストッパ機構８０を設けるようにしてもよい。このストッパ機構８０は、取付部材８１を介して底面部２０に固定されたシリンダ８２と、シリンダ８２に上下方向に摺動自在に設けられた接地部材８３と、接地部材８３を昇降させる足踏みレバー８４と備え、足踏みレバー８４の一端は取付部材８１に回動自在に連結されている。また、接地部材８３は足踏みレバー８４に設けられた長孔８４ａにピン８３ａを介して移動自在に係合している。即ち、図２３(a) に示すように足踏みレバー８４が上方位置にあるときは、接地部材８３が地面から上方に離れており、足踏みレバー８４を踏んで下方へ回動すると、図２３(b) に示すように接地部材８３が足踏みレバー８４によって下降して地面に圧接し、底面部２０が地面に固定されるようになっている。尚、足踏みレバー８４を下方へ回動すると、図示しないロック機構により足踏みレバー８４がロックされ、ロック機構のロックを解除すると、足踏みレバー８４が上方へ回動するようになっている。
【符号の説明】
【００４５】
１…タイヤ、２…折り畳み椅子、１０…タイヤ支持部、１１…回転台、１２…支持ローラ、１３…ガイドローラ、１４…位置決め機構、２１…車輪、２４…第１の機材取付部、３０…壁面部、３３…第２の機材取付部、４０…スロープ、５０…物品収納部、６０…椅子収納部、７０…タイヤ支持部、７１…縦部材、７２…横部材、７４……支持ローラ。
【図１】
2010210325.tif 000003
【図２】
2010210325.tif 000004
【図３】
2010210325.tif 000005
【図４】
2010210325.tif 000006
【図５】
2010210325.tif 000007
【図６】
2010210325.tif 000008
【図７】
2010210325.tif 000009
【図８】
2010210325.tif 000010
【図９】
2010210325.tif 000011
【図１０】
2010210325.tif 000012
【図１１】
2010210325.tif 000013
【図１２】
2010210325.tif 000014
【図１３】
2010210325.tif 000015
【図１４】
2010210325.tif 000016
【図１５】
2010210325.tif 000017
【図１６】
2010210325.tif 000018
【図１７】
2010210325.tif 000019
【図１８】
2010210325.tif 000020
【図１９】
2010210325.tif 000021
【図２０】
2010210325.tif 000022
【図２１】
2010210325.tif 000023
【図２２】
2010210325.tif 000024
【図２３】
2010210325.tif 000025